(57)【特許請求の範囲】
【請求項１】
少なくとも、金属部材を用いた部品と、水平リニアリティコイルと、電子部品が基板に実装されてなる水平偏向回路の部品実装構造に於いて、金属部材を用いた部品の隣にマグネット固定タイプの水平リニアリティコイルを配置し、前記水平リニアリティコイルの部品底面が基板と接触しないように実装したことを特徴とする水平偏向回路の部品実装構造。
【請求項２】
前記水平リニアリティコイルの実装用端子リードに凸部を設けたことを特徴とする請求項１記載の水平偏向回路の部品実装構造。
【請求項３】
前記水平リニアリティコイルは、基板面に対して傾斜させることが可能であり、２本の実装用端子リードの並び方向と垂直方向にマグネットの位置を動かすことが可能な請求項１又は２記載の水平偏向回路の部品実装構造。
【請求項４】
前記水平リニアリティコイルと隣接する前記金属部材を用いた部品との位置関係を、前記水平リニアリティコイルを傾斜させることにより可変させてインダクタンス値の調整をし、画像の水平リニアリティ歪みを調整することを特徴とする水平リニアリティ歪みの調整方法。
【発明の詳細な説明】
【０００１】
【発明の属する技術分野】
本発明は、電子ビューファインダー等のＣＲＴを使用した電子機器に用いられる水平偏向回路の部品実装構造及び水平リニアリティ歪み調整方法に関するものである。
【０００２】
【従来の技術】
水平偏向回路は、スイッチングトランジスター、ダンパーダイオード、偏向コイル、フライバックトランス、水平リニアリティコイル、共振コンデンサ等の電子部品が基板に実装されて成るものである。
図１は電子ビューファインダー等のＣＲＴを使用した電子機器の水平偏向回路に用いられる水平リニアリティコイルの図で、マグネット固定タイプの水平リニアリティコイルを示す図である。水平リニアリティコイルは、コア１に巻線２を巻いたコイル部３とマグネット４と、実装用端子リード５とからなり、コイルのインダクタンス直流重畳特性カーブを使って偏向波形の歪みを修正し、画像の水平リニアリティ歪みを適正化するものである。この場合マグネットはインダクタンス値を適当な値に設定する働きをしている。この水平リニアリティコイルは、マグネット４が接着剤によりコイル部３に固定されている
【０００３】
図２はマグネット回転タイプの水平リニアリティコイルを示す図である。キャップ６をケース７のネジ穴に対して回転させ、キャップに固定されているマグネット８とコイル部９との距離を調整することにより、ある程度インダクタンス値を調整可能なタイプである。電子ビューファインダーの場合、マグネット回転タイプの水平リニアリティコイルは水平リニアリティ歪み補正を重視した高級機種向けに使用し、一般の機種にはマグネット固定タイプが用いられている。
【０００４】
【発明が解決しようとする課題】
マグネット固定タイプの水平リニアリティコイルを用いた場合、基板に実装後のインダクタンス値の調整が不可能であるため、個々の水平リニアリティコイルのインダクタンス値のバラツキによって画像の水平リニアリティ歪みもバラツいてしまうという問題がある。
【０００５】
また、マグネット回転タイプは、ケースやキャップ等構成部品が多いため、マグネット固定タイプと同程度のコストを実現することは困難である。
【０００６】
【課題を解決するための手段】
少なくとも、金属部材を用いた部品と、水平リニアリティコイルと、電子部品が基板に実装されてなる水平偏向回路の部品実装構造に於いて、金属部材を用いた部品の隣にマグネット固定タイプの水平リニアリティコイルを配置し、前記水平リニアリティコイルの部品底面が基板と接触しないように実装した水平偏向回路の部品実装構造とする。
【０００７】
前記水平リニアリティコイルの実装用端子リードに凸部を設けた水平偏向回路の部品実装構造とする。
【０００８】
前記水平リニアリティコイルは、基板面に対して傾斜させることが可能であり、２本の実装用端子リードの並び方向と垂直方向にマグネットの位置を動かすことが可能な水平偏向回路の部品実装構造とする。
【０００９】
前記水平リニアリティコイルと隣接する前記金属部材を用いた部品との位置関係を、前記水平リニアリティコイルを傾斜させることにより可変させてインダクタンス値の調整をし、画像の水平リニアリティ歪みを調整する水平リニアリティ歪みの調整方法とする。
【００１０】
【発明の実施の形態】
図３は本発明の一実施形態である水平リニアリティコイルの図である。実装用端子リードに凸部１０を設けることにより、基板に垂直に実装した際に底面が基板から浮き、それにより水平リニアリティコイルを実装用端子リードの並び方向と垂直方向に傾斜させることが可能となり、結果としてマグネットの位置を可変可能としている。
【００１１】
図４は本発明の一実施形態である水平偏向回路部の部品実装例であり、周辺をブリキ材のシールドケースで覆われたフライバックトランス１１の隣に上記水平リニアリティコイルを基板１２に実装した図である。この場合、水平リニアリティコイルを垂直な実装状態から傾斜させることにより、上部のマグネット１３をフライバックトランス１１に近づけたり遠ざけたりすることが可能となる。フライバックトランス１１はブリキ材のシールドケースで覆われているため、これに水平リニアリティコイルを近づけたり遠ざけたりすることによりマグネットの磁力を変化させ、水平リニアリティコイルのインダクタンス値の調整を可能としている。この結果として画像の水平リニアリティ歪みを調整が可能となる。本実施形態は、ブリキ材のシールドケースに覆われたフライバックトランス１１の隣に水平リニアリティコイルを実装したものであるが、金属部材を用いた他の電子部品の隣に水平リニアリティコイルを実装しても良い。
【００１２】
【発明の効果】
水平リニアリティコイルの部品底面が基板と接触しないように実装したので、実装用端子リードと垂直方向にマグネットを移動できる。さらに前記水平リニアリティコイルを、金属部材を使用した部品の隣に配置し、実装後にマグネットと金属部材の位置関係を可変することにより、マグネット固定タイプの水平リニアリティコイルのインダクタンス値がバラツいても、画像の水平リニアリティ歪みを補正することが可能となる。
【００１３】
また、部品点数や構成が従来のマグネット固定タイプの水平リニアリティコイルと同等であるため、画像の水平リニアリティ歪みの補正が可能となっても、上記水平リニアリティコイルの製品コストは従来のマグネット固定タイプの水平リニアリティコイルと同等とすることができる。
【００１４】
上記部品実装構造とすることにより、水平偏向回路部の回路構成及び部品点数を変更することなく、画像の水平リニアリティ歪みを補正することが可能となる。
【図面の簡単な説明】
【図１】マグネット固定タイプの水平リニアリティコイルの図。
【図２】マグネット回転タイプの水平リニアリティコイルの図。
【図３】本発明の一実施形態である水平リニアリティコイルの図。
【図４】本発明の一実施形態である水平偏向回路部の部品実装図。
【符号の説明】
１  コア
２  巻線
３  コイル部
４  マグネット
５  実装用端子リード
６  キャップ
７  ケース
８  マグネット
９  コイル部
１０  凸部
１１  フライバックトランス
１２  基板
１３  マグネット
【図１】
0003830833.tif 000002
【図２】
0003830833.tif 000003
【図３】
0003830833.tif 000004
【図４】
0003830833.tif 000005